(57)【特許請求の範囲】
【請求項１】
上部管寄せから気水分離器の旋回流形成部に蒸気と飽和水の混合物を送る連結管と、
前記上部管寄せと前記気水分離器の前記旋回流形成部より低い位置とを連通連結するバイパス管と、を備え、
前記バイパス管は、吐出口を備える先端部が前記気水分離器内に突出して設けられているとともに、前記吐出口が前記気水分離器内で生じる飽和水旋回流の下流側に向けて開口しており、且つ、前記上部管寄せへの連結位置より気水分離器への連結位置が低い位置にあることを特徴とする多管式貫流ボイラ。
【請求項２】
上部管寄せから気水分離器の旋回流形成部に蒸気と飽和水の混合物を送る連結管と、
前記上部管寄せと前記気水分離器の前記旋回流形成部より低い位置とを連通連結するバイパス管と、を備え、
前記バイパス管は、吐出口を備える先端部が前記気水分離器内に突出して設けられているとともに、前記吐出口が前記気水分離器内で生じる飽和水旋回流の下流側に向けて開口しており、且つ、前記連結管より内径が小さい管であることを特徴とする多管式貫流ボイラ。
【請求項３】
前記バイパス管の先端部は、先端の端面が閉じられ、該先端部の側面に前記吐出口が形成されていることを特徴とする請求項１又は２に記載の多管式貫流ボイラ。
【請求項４】
前記バイパス管に介在させた制御弁と、ボイラ負荷が所定値以下の時に前記制御弁を開くように制御する制御装置と、を備えることを特徴とする請求項１〜３の何れかに記載の多管式貫流ボイラ。
【請求項５】
前記バイパス管が、前記気水分離器の給水管接続位置と同レベルの高さ位置で該気水分離器に連結されていることを特徴とする請求項１に記載の多管式貫流ボイラ。
【発明の詳細な説明】
【技術分野】
【０００１】
本発明は、気水分離器が連結された多管式貫流ボイラに関する。
【背景技術】
【０００２】
従来、この種の多管式貫流ボイラでは、水管で発生した蒸気は飽和水を伴って気水混合物となって上部管寄せに連結された連結管を通って気水分離器に送られ、気水分離器内の旋回羽根や遠心ノズル等の旋回流形成部を通じて旋回させられ、旋回流の遠心作用により、蒸気と飽和水との密度差により、飽和水は気水分離器胴の内壁側に偏り、蒸気は旋回する飽和水の内側に偏って気水分離器の上部中央に連結された蒸気排出管から排出されることにより、蒸気と飽和水とに分離され、蒸気は蒸気利用設備側に送られ、飽和水は気水分離器の下部に連結された戻り配管によりボイラ本体の下部管寄せに戻され、再循環される。この飽和水再循環について貫流ボイラには法規制により、「最大給水量に対する循環量の比が２以下」と定められている。
【０００３】
しかしながら、循環水量が極端に少ない場合、気水分離器下部の戻り配管及び下部管寄せの温度及びｐＨが低くなることで、腐食障害を生じ易くなる。そのため、貫流ボイラにおいては法規制を超えない範囲で、全ての燃焼領域において適切な循環水量を確保することが重要となる。
【０００４】
燃焼量制御に多段制御もしくは比例制御を用いた貫流ボイラの場合、運転状況が高負荷から低負荷に移行するにつれて循環水量は減少する傾向にある。この要因は、水管内での沸騰状態が異なることや、気水分離器に流入する蒸気の絶対量が異なることが挙げられる。近年では省エネルギーの観点からターンダウン比（以下、ＴＤＲ）を大きくとり、ボイラの発停回数を減らすことでパージ損失の低減を図っているボイラが注目されている。
【０００５】
しかしながら、ＴＤＲを広くとると従来の最低燃焼量よりさらに低負荷状態の超低負荷状態が存在することになる。このような超低負荷状態においては循環水の量は極端に減少し、気水分離器下部の戻り配管及び下部管寄せのｐＨは適切な管理基準値が外れてしまう。
【０００６】
そのため、図７に示すように、気水分離器２０と上部管寄せ２１との連結管を上部管寄せ２１の側面から引き出した連結配管２２と上部管寄せ２１の上面から引き出した連結配管２３の２本の連結配管を設置した、多管式貫流ボイラの気水分離器の連結構造が知られている（特許文献１）。
【０００７】
図７に示す連結構造によれば、上部管寄せ２１の側面から引き出された連結配管２２は上部から引き出された連結配管２３より圧力損失が少ないため、気水混合物の発生量が少ない低燃焼時には、気水混合物の大半は上部管寄せ２１の側面から引き出された連結配管２２から気水分離器２０へ流れ込み、戻り管２４を介して所定の飽和水戻り量を確保することができ、高燃焼時には気水混合物の流量増加と蒸気負荷への蒸気供給量増加のため、気水混合物は側面から引き出された連結配管２２のみでは流れきれず上部引き出し連結配管２３へも流れるため、高燃焼時の飽和水戻り量は上部引き出し連結配管２３への流量により増減でき、高燃焼・低燃焼別々の戻り量（循環比）を決定することができ、その結果、低燃焼時にも適量の戻り量が得られるため、下部管寄せ内缶水を適正なｐＨに保持でき、低ｐＨによる缶体の腐食が低減するとされている。
【先行技術文献】
【特許文献】
【０００８】
【特許文献１】実開平６−４０６０４号公報
【発明の概要】
【発明が解決しようとする課題】
【０００９】
しかしながら、図８に示すように、従来、旋回型の気水分離器２０内では、旋回羽根２５（旋回流形成部）による飽和水Ｗの旋回による遠心力の影響を受け、低負荷域では必要な循環水量の流入を阻害し、高負荷域では飽和水Ｗがボイラの側へ逆流し、分離排出される蒸気Ｖの乾き度を悪化させるという問題を生じ得る。
【００１０】
そこで、本発明は、気水分離器での飽和水の旋回による遠心力の影響を緩和し、低負荷状態でも一定の循環水量を確保するとともに、蒸気乾き度の低下を防ぐことができる多管式貫流ボイラを提供することを主たる目的とする。
【課題を解決するための手段】
【００１１】
上記問題を解決するため、本発明に係る多管式貫流ボイラは、上部管寄せから気水分離器の旋回流形成部に蒸気と飽和水の混合物を送る連結管と、上部管寄せと前記気水分離器の前記旋回流形成部より低い位置とを連通連結するバイパス管と、を備え、前記バイパス管は、吐出口を備える先端部が前記気水分離器内に突出して設けられていることを特徴とする。
【００１２】
前記吐出口は、前記気水分離器内で生じる飽和水旋回流の下流側に向けて開口していることが好ましい。
【００１３】
前記バイパス管の先端部は、先端の端面が閉じられ、該先端部の側面に前記吐出口が形成されていることが好ましい。
【００１４】
前記バイパス管に介在させた制御弁と、ボイラ負荷が所定値以下の時に前記制御弁を開くように制御する制御装置と、を備えることが好ましい。
【００１５】
前記バイパス管は、上部管寄せへの連結位置より気水分離器への連結位置が低い位置にあることが好ましい。
【００１６】
前記バイパス管が、前記気水分離器の給水管接続位置と同レベルの高さ位置で該気水分離器に連結されていることが好ましい。
【００１７】
前記バイパス管は、前記連結管より内径が小さい管であることが好ましい。
【発明の効果】
【００１８】
本発明によれば、バイパス管の先端部を気水分離器内に突出させることにより、バイパス管は、飽和水の旋回流の遠心力を受けにくくなり、低負荷域では必要な循環水量の流入を妨げず、また、高負荷域では飽和水がボイラの側へ逆流することを防ぐことが可能となる。
【図面の簡単な説明】
【００１９】
【図１】本発明に係る多管式貫流ボイラの第１実施形態を示す概略構成図である。
【図２】図１の多管式貫流ボイラの要部横断面図である。
【図３】本発明に係る多管式貫流ボイラの第２実施形態を示す要部横断面図である。
【図４】本発明に係る多管式貫流ボイラの第３実施形態を示す概略構成図である。
【図５】本発明に係る多管式貫流ボイラの第４実施形態を示す概略構成図である。
【図６】本発明に係る多管式貫流ボイラの第５実施形態を示す概略構成図である。
【図７】従来の多管式貫流ボイラの概略構成図である。
【図８】従来の気水分離器の中央縦断面図である。
【発明を実施するための形態】
【００２０】
本発明に係る多管式貫流ボイラの実施形態について、図１〜図６を参照して説明する。なお、本発明に関し、全図及び全実施形態を通じ、同一又は類似の構成部分には同符号を付した。
【００２１】
本発明に係る多管式貫流ボイラの第１実施形態は、図１に示すように、多管式貫流ボイラ１は、ボイラ本体２、ボイラ本体２の周囲に配置される水管３、水管３と接続された下部管寄せ４及び上部管寄せ５、上部管寄せと気水分離器６とを連結する連結管７、連結管７から送られてくる気水混合物を旋回させる旋回流形成部８と、上部管寄せ５と気水分離器６とを旋回流形成部８の下方で連結するバイパス管９と、旋回流形成部８で飽和水と分離された蒸気を排気する蒸気配管１０と、気水分離器６と下部管寄せ４とを連結する戻り管１１と、気水分離器６に給水する給水管１２と、を備えている。燃焼バーナーは図示省略されており、燃焼制御には、多段制御もしくは比例制御が用いられる。
【００２２】
第１実施形態の旋回流形成部８は、気水分離器６内に固定された案内羽根８ａによって形成されており、水管３で沸騰した蒸気が飽和水を伴い連結管７を通って案内羽根８ａの上部空間６ａに送られると、蒸気と飽和水の気水混合物は案内羽根８ａを通過する際に旋回流となり、案内羽根８ａの下方空間６ｂに気水混合物の旋回流を生じさせ、遠心力の作用下で蒸気と飽和水が密度差により遠心分離され、蒸気は蒸気配管１０から排出され、飽和水は旋回流となり、戻り管１１を通して下部管寄せ４に戻される。
【００２３】
バイパス管９は、図２に拡大して示すように、吐出口９ａが形成された先端部９ｂが、気水分離器６内に突出して延設されている。先端部９ｂを気水分離器６内に突出させることにより、バイパス管９は、飽和水の旋回流Ｆの遠心力を受けにくくなる。その結果、低負荷域では必要な循環水量の流入を妨げず、また、高負荷域では飽和水がボイラの側へ逆流することを防ぐことができる。
【００２４】
バイパス管９の先端部９ｂの吐出口９ａは、気水分離器６の内壁面から離れた位置にあって、飽和水の旋回流Ｆの旋回方向の下流側に向けて開口している。斯かる構成により、バイパス管９の先端部９ｂは吐出口９ａと反対側の周側面で飽和水の旋回流Ｆを受けるため、飽和水の旋回流Ｆの遠心力の影響がいっそう軽減され、低負荷域での必要な循環水量の流入を妨げず、また、高負荷域では飽和水がボイラの側へ逆流することを防ぐ効果をいっそう高めることができる。バイパス管９の先端部９ｂの吐出口９ａは、複数としてもよいし、一つにしてもよい。
【００２５】
また、バイパス管９の先端部９ｂは、その先端面９ｃが閉じられており、先端部９ｂの側面に吐出口９ａが形成されることにより、低負荷域での必要な循環水量の流入を妨げず、また、高負荷域では飽和水がボイラの側へ逆流することを防ぐ効果を更に高めることができる。
【００２６】
バイパス管９は、連結管７より内径の小さい管を採用し、連結管７に比べて気水混合物が通りにくくしておくことが望ましい。バイパス管９に絞り（図示せず。）を介在させてもよい。
【００２７】
図３は、本発明に係る多管式貫流ボイラの第２実施形態を示しており、第２実施形態では、バイパス管９の先端部９ｂの吐出口９ａが、管端を斜めにカットした形状とされている。この場合も、吐出口９ａは旋回流Ｆの下流側を向いて開口しているため、第１実施形態と同様の技術的効果が得られる。
【００２８】
図４は、本発明に係る多管式貫流ボイラの第３実施形態を示している。第３実施形態においては、バイパス管９に制御弁１３が介在され、ボイラ負荷が設定値以下の時に制御弁１３を開くように制御する制御装置１４と、を備えている。
【００２９】
ボイラ負荷は、ボイラの燃焼バーナー（図示せず。）による燃焼量であり、燃焼量は燃焼バーナーに供給する燃料ガスの流量に比例するため、燃料ガスの流量を流量計で計測することにより知ることができる。ボイラの燃焼量（実際ボイラ負荷ｂ）が所定の燃焼量（設定ボイラ負荷ａ）以下となった場合に、制御弁が「開」となるように制御することにより、制御弁１３により循環水量の確保が必要な低負荷燃焼運転時のみ確実に気水分離器６内にボイラ本体２からの気水混合物を供給し、循環水量の確保を可能にする。また、循環水量が確保でき制御弁１３が不要となる高負荷燃焼時においては制御弁が「閉」となることで、制御弁１３から上部管寄せ５に飽和水が逆流することによる乾き度の低下を防止し得る。
【００３０】
図５は、本発明に係る多管式管流ボイラの第４実施形態を示している。第４実施形態では、バイパス管９は、上部管寄せ５への連結位置より低い位置で気水分離器６に連結されている。水管３で発生する高温蒸気は上昇する傾向にあるため、斯かる構成により、上部管寄せ５からバイパス管９を通って気水分離器６へ蒸気が入りにくく、また、気水分離器６からの飽和水の逆流も制限され得る。
【００３１】
また、図５に示す第４実施形態では、バイパス管９は、気水分離器６の給水管１２の接続位置と同レベルの高さ位置で気水分離器６に連結されている。給水管１２を流れる水には、ボイラの腐食防止のために水酸化ナトリウム等の薬剤が所定量添加されており、バイパス管９と給水管１２とを同レベルの高さ位置で気水分離器６に連結しておくことにより、バイパス管９からの飽和水と給水管１２からの給水とが迅速に混合され、薬剤の迅速な攪拌がなされ得る。また、給水管１２は通常、気水分離器６のニュートラルレベルの水位より低い位置に設けられており、バイパス管９を給水管１２と同レベルの高さ位置に連結することで、バイパス管９の先端部吐出口は蒸気配管１０の入口１０ａから十分離れた位置に設置されることとなり、バイパス管９からの気水混合物が蒸気配管１０から排出されにくくなり、蒸気配管１０から排気される蒸気の乾き度の低下を防ぐことができる。
【００３２】
図６は、本発明に係る多管式管流ボイラの第５実施形態を示し、旋回流形成部８が遠心ノズル８ｂで構成されている点が上記第１実施形態と相違し、その他の構成は上記第１実施形態と同様であるので、詳細な説明を省略する。旋回流形成部は、第１実施形態、第５実施形態の態様に限らず、連結管７からの気水混合物の流れを旋回流にする他の形態のものを採用し得る。
【００３３】
本発明は、上記実施形態に限定されず、本発明の趣旨を逸脱しない範囲において種々の変更が可能である。
【符号の説明】
【００３４】
１  多管式貫流ボイラ
２  ボイラ本体
３  水管
４  下部管寄せ
５  上部管寄せ
６  気水分離器
７  連結管
８  旋回流形成部
９  バイパス管
９ａ  吐出口
９ｂ  先端部
１２  給水管
１３  制御弁
１４  制御装置
【図１】
0006389723.tif 000002
【図２】
0006389723.tif 000003
【図３】
0006389723.tif 000004
【図４】
0006389723.tif 000005
【図５】
0006389723.tif 000006
【図６】
0006389723.tif 000007
【図７】
0006389723.tif 000008
【図８】
0006389723.tif 000009